(57)【特許請求の範囲】
【請求項１】
住宅建物における木製の躯体梁を積載するラックであって、
一方から他方に貫通する角パイプ状に形成された梁受部の両端に、この梁受部に対して直交する一方向または二方向に接続部が延設されて略コ字状または略Ｈ字状となされたラック本体と、
上記ラック本体の梁受部に挿通される締結バンドとを具備し、
ラック本体の梁受部間に躯体梁を挟持した状態で、ラック本体の接続部同士が一段または多段に受け挿し接続可能となされ、この躯体梁を挟持した接続状態が、ラック本体の梁受部に挿通される締結バンドで締結固定できるようになされたことを特徴とする躯体梁ラック。
【発明の詳細な説明】
【０００１】
【発明の属する技術分野】
本発明は、住宅建物における木製の躯体梁を積載するラックに関するものである。
【０００２】
【従来の技術】
一般に、住宅建物における木製の躯体梁は、あらかじめ工場で所定寸法に切断加工した後、現場に搬送することで、現場作業の軽減が図られている。
【０００３】
従来より、この躯体梁を搬送する場合は、単に所定寸法に切断された躯体梁を数本まとめて紐などで締結し、これをパレットに載せて搬送するか、直接荷台に載せて現場に搬送していた。
【０００４】
【発明が解決しようとする課題】
このように搬送された躯体梁によって躯体を構成するにあたり、現場では、躯体梁の一本毎に接合金物を取り付ける作業を行わなければならず、施工作業が煩わしくなるといった不都合を生じていた。
【０００５】
そのため、躯体梁に接合金物を取り付ける作業を工場で行うことが考えられるが、この場合、躯体梁から接合金物が出っ張ることとなるので、現場に搬送する際に、単純に紐などで締結して数本をまとめて搬送するといったことが困難になる。
【０００６】
本発明は、係る実情に鑑みてなされたものであって、接合金物を取り付けた躯体梁をまとめて積載して現場に搬送することができる躯体梁ラックを提供することを目的としている。
【０００７】
【課題を解決するための手段】
上記課題を解決するための本発明の躯体梁ラックは、住宅建物における木製の躯体梁を積載するラックであって、一方から他方に貫通する角パイプ状に形成された梁受部の両端に、この梁受部に対して直交する一方向または二方向に接続部が延設されて略コ字状または略Ｈ字状となされたラック本体と、上記ラック本体の梁受部に挿通される締結バンドとを具備し、ラック本体の梁受部間に躯体梁を挟持した状態で、ラック本体の接続部同士が一段または多段に受け挿し接続可能となされ、この躯体梁を挟持した接続状態が、ラック本体の梁受部に挿通される締結バンドで締結固定できるようになされたものである。
【０００８】
【発明の実施の形態】
以下、本発明の実施の形態を図面を参照して説明する。
【０００９】
図１は本発明に係る躯体梁ラック１の全体構成の概略を示し、図２は同躯体梁ラック１の使用状態を示している。
【００１０】
すなわち、この躯体梁ラック１は、端部用ラック本体２と、中間用ラック本体３と、締結バンド４とを具備している。
【００１１】
端部用ラック本体２は、約１〜２ｍ程度の長さの角パイプからなる梁受部２１の両端に、同じく短尺の角パイプからなる接続部２２を、梁受部２１に対して直交するように溶接固定して形成されている。端部用ラック本体２は、梁受部２１に対して接続部２２が一方向に溶接されて略コ字状となされている。
【００１２】
また、このラック本体２は、接続部２２にカギ形のフック２３が溶接固定されている。このフック２３は、躯体梁ラック１に躯体梁５を積載した状態で、全体を吊り上げる際に使用される。
【００１３】
中間用ラック本体３は、約１〜２ｍ程度の長さの角パイプからなる梁受部３１の両端に、同じく短尺の角パイプからなる接続部３２を、梁受部３１に対して直交するように溶接固定して形成される。この中間用ラック本体３は、梁受部３１に対して接続部３２が二方向に溶接されて略Ｈ字状となされている。
【００１４】
上記端部用ラック本体２の接続部２２と中間用ラック本体３の接続部３２は、それぞれ自由に組み合わせて受け挿し接続できるように、受径サイズとなされたものと、挿径サイズとなされたものとの二種類がそれぞれ用意されている。
【００１５】
締結バンド４は、受挿接続される端部用ラック本体２と中間用ラック本体３との梁受部２１、３１内に挿通され、これら端部用ラック本体２および中間用ラック本体３を締結することができるようになされている。
【００１６】
このようにして構成される躯体梁ラック１に躯体梁５を積載するには、まず、適宜の間隔を存して配置した二本の端部用ラック本体２の上に躯体梁５を並べる。
【００１７】
ついで、それぞれの端部用ラック本体２の接続部２２の上方から中間用ラック本体３の接続部３２を受け挿し接続させる。
【００１８】
つぎに、この中間用ラック本体３の梁受部３１上に躯体梁５を並べる。以下、同様にしてこの中間用ラック本体３の接続部３２の上方から端部用ラック本体２の接続部２２を受け挿し接続させる。
【００１９】
この状態で、躯体梁５は、端部用ラック本体２の梁受部２１と中間用ラック本体３の梁受部３１との間に挟持されることとなるので、これら端部用ラック本体２の梁受部２１内に締結バンド４を通して、これらを締結する。これにより、躯体梁５は、端部用ラック本体２と中間用ラック本体３とに挟持固定されることとなる。
【００２０】
これにより、躯体梁５は、二段に積載した状態にすることができる。
【００２１】
このように、この躯体梁ラック１によると、躯体梁５は、端部用ラック本体２と中間用ラック本体３との間で上下から挟持固定しているだけなので、隣接する躯体鍼５同士に間隔を設けておけば、あらかじめ接合金物６などを接合した躯体梁５であっても、この躯体梁ラック１に積載することができる。
【００２２】
また、このように躯体梁５を積載した躯体梁ラック１は、端部用ラック本体２の接続部２２に設けたフック２３にロープなどを掛け、ホイストやクレーンなどで吊り上げて容易にトラックの荷台に載せることができる。したがって、住宅一邸分の躯体梁５をまとめてこの躯体梁ラック１に積載しておけば、ひとまとめのまま、これら躯体梁５を現場へ搬送することができる。
【００２３】
なお、本実施の形態において、端部用ラック本体２と中間用ラック本体３とは、上下の端部用ラック本体２の梁受部２１だけに締結バンド４を挿通させて二段ごとまとめて締結するようになれているため、中間用ラック本体３としては、梁受部３１内に締結バンド４が挿通できるようになされていないものであってもよい。また、中間用ラック本体３として、梁受部３１内に締結バンド４を挿通できるようになれたものを使用した場合には、中間用ラック本体３の梁受部３１内に締結バンド４を挿通させて各段毎に、躯体梁５を締結するものであってもよい。
【００２４】
また、本実施の形態において、躯体梁ラック１は、躯体梁５を二段に積載するようになされているが、図３に示すように、端部用ラック本体２の接続部２２同士を受け挿し接続して躯体梁５を一段だけ積載するようになされたものであってもよいし、中間用ラック本体３を二個使用して躯体梁５を三段に積載するようになされたものであってもよい。
【００２５】
さらに、本実施の形態では、端部用ラック本体２の梁受部２１または中間用ラック本体３の梁受部３１に、直接躯体梁５を載せるようになされているが、この躯体梁５が当たることとなる梁受部２１、３１の部分に、ゴムやスポンジなどからなる緩衝材を貼設しておいてもよい。
【００２６】
【発明の効果】
以上述べたように、本発明によると、ラック本体間に躯体梁を挟持した状態で、この躯体梁を挟持するラック本体の接続部間を受け挿し接続し、この接続状態を締結バンドで締結することで、躯体梁をラック本体間に挟持固定することができる。したがって、接合金物を取り付けた躯体梁であっても、このラック本体間に挟持固定してひとまとめに積載することができる。
【図面の簡単な説明】
【図１】本発明に係る躯体梁ラックの全体構成の概略を示す分解斜視図である。
【図２】（ａ）および（ｂ）は、本発明に係る躯体梁ラックによって躯体梁を積載した状板を示す斜視図および正面図である。
【図３】（ａ）および（ｂ）は、本発明に係る躯体梁ラックの他の使用状態を示す正面図である。
【符号の説明】
１  躯体梁ラック
２  端部用ラック本体
２１  梁受部
２２  接続部
３  中間用ラック本体
３１  梁受部
３２  接続部
４  締結バンド
５  躯体梁
【図１】
0003781962.tif 000002
【図２】
0003781962.tif 000003
【図３】
0003781962.tif 000004